(57)【要約】      （修正有）【課題】医療用のシリンジまたはカートリッジの円筒状胴体のフランジ上に配置されるフィンガーグリップ装置において、患者に流体を注入する際もしくは患者から流体を回収する際に、操作者の指との接触面を増大させることができるフィンガーグリップ装置を提供する。【解決手段】フィンガーグリップ装置であって、底端部分９と、頂端部分１とを備え、底端部分９および頂端部分１は、異なるサイズを有し、かつ、互いに相互に接続されて、シリンジまたはカートリッジの円筒状胴体のフランジを配置するためのロッジング領域を形成しており、頂端部分１には、スナップ動作およびロック動作によりフランジへの当該装置の係止を可能にする手段４が設けられ、注入操作中または回収操作中にシリンジもしくはカートリッジの該胴体内におけるプランジャーの走行をブロックまたは妨害しないことを特徴とする。【選択図】図３
0003188801.tif 000002
【実用新案登録請求の範囲】
【請求項１】
フィンガーグリップ装置であって、
底端部分（９）と、
頂端部分（１）と
を備え、
上記底端部分（９）および頂端部分（１）は、異なるサイズを有し、かつ、互いに相互に接続されて、シリンジまたはカートリッジの円筒状胴体のフランジ（１２）を配置するためのロッジング領域（ｃ）を形成しており、
上記頂端部分（１）には、スナップ動作およびロック動作により上記フランジ（１２）への当該装置の係止を可能にする手段（４）および（２）が設けられ、
注入操作中または回収操作中にシリンジもしくはカートリッジの該胴体内におけるプランジャーの走行をブロックまたは妨害しないことを特徴とするフィンガーグリップ装置。
【請求項２】
請求項１に記載のフィンガーグリップ装置において、
上記底端部分（９）が楕円形開放形状を有し、かつ、上記頂端部分（１）が擬似正方形開放形状を有しており、
上記両部分が、それぞれ、同軸性の円形開放空洞（１０）および（３）を有しているフィンガーグリップ装置。
【請求項３】
請求項１または２に記載のフィンガーグリップ装置において、
上記円形開放空洞（３）が上記円形開放空洞（１０）の直径よりも１０％を超えない程度だけ小さい直径を有しているフィンガーグリップ装置。
【請求項４】
請求項２または３に記載のフィンガーグリップ装置において、
上記円形開放空洞（３）の直径が３〜１０％の間のある値だけ該空洞（１０）の直径よりも小さいフィンガーグリップ装置。
【請求項５】
請求項２から４までのいずれか一項に記載のフィンガーグリップ装置において、
上記円形開放空洞（３）の直径が４〜６％の間のある値だけ上記円形開放空洞（１０）の直径よりも小さいフィンガーグリップ装置。
【請求項６】
請求項１から５までのいずれか一項に記載のフィンガーグリップ装置において、
上記円形開放空洞（３）の直径が２ｍｍ-１から１０ｍｍ-１までの間のある値だけシリンジまたはカートリッジの該円筒状胴体の内径よりも小さいフィンガーグリップ装置。
【請求項７】
請求項３に記載のフィンガーグリップ装置において、
上記円形開放空洞（３）の直径が２１．２ｍｍであり、かつ、上記円形開放空洞（１０）の直径が２５．０ｍｍであるフィンガーグリップ装置。
【請求項８】
請求項３に記載のフィンガーグリップ装置において、
上記円形開放空洞（３）の直径が１０．５ｍｍであり、かつ、上記円形開放空洞（１０）の直径が１２．４ｍｍであるフィンガーグリップ装置。
【請求項９】
請求項１から８までのいずれか一項に記載のフィンガーグリップ装置において、
上記底端部分（９）には滑り止め手段（８）が設けられているフィンガーグリップ装置。
【請求項１０】
請求項９に記載のフィンガーグリップ装置において、
上記滑り止め手段（８）が高浮き彫り手段の形態をしているフィンガーグリップ装置。
【請求項１１】
請求項１０に記載のフィンガーグリップ装置において、
上記滑り止め用の高浮き彫り手段（８）が球形キャップの形状を有しているフィンガーグリップ装置。
【請求項１２】
請求項１から１１までのいずれか１項に記載のフィンガーグリップ装置を含むシリンジであって、
上記フィンガーグリップ装置が上記シリンジのフランジ上に固定されるシリンジ。
【請求項１３】
請求項１２に記載のシリンジにおいて、
コントラスト剤が予め充填されているシリンジ。
【請求項１４】
請求項１３に記載のシリンジにおいて、
マルチハンス（Multihance）およびプロハンス（Prohance）から選択されるコントラスト剤が予め充填されているシリンジ。
【請求項１５】
請求項１から１１までのいずれか１項に記載のフィンガーグリップ装置を含む
医療用のシリンジまたはカートリッジと組み合わされ、請求項１から１１までのいずれか１項に記載のフィンガーグリップ装置を含むパーツ・キット。
【考案の詳細な説明】
【技術分野】
【０００１】
本考案は医療用のシリンジまたはカートリッジの円筒状胴体のフランジ上に配置されるように設計されたフィンガーグリップ装置であって、患者に流体を注入する際または患者から流体を回収する際における操作者の指との接触面を増大させるのに有用なフィンガーグリップ装置に関する。
【背景技術】
【０００２】
医学分野において流体を投与または回収するために使用される異なるタイプのシリンジおよびカートリッジが当技術分野では周知であり、それらの構成および材料の両観点において高い品質基準を達成している。一般的に、これらのシリンジはガラスおよび／またはポリマー材料からできており、そして、それらの主要な機能部は、
１．円筒状胴体、および
２．上記円筒状胴体の内部において摺動するように構成されているプランジャー、
である。
【０００３】
上記プランジャーは、場合によってはプランジャー・ロッドを備えていてよく、その場合、そのプランジャー・ロッドはプランジャーに取り外し可能に取り付けることができ、またはプランジャーに恒久的に取り付けることもできる。一方、上記円筒状胴体は、そこにプランジャーが挿入される末端側面と、そこに針またはカニューレを接続することができるように構成される遠位側面とを備えている。この円筒状胴体は典型的には特定量の選択された流体を含んでおり、それ故、本胴体の遠位側面に向けて加えられるプランジャーの圧力はその流体の漏出を引き起こす。同様に、シリンジが例えば患者から流体を回収するために使用されるときには、円筒状胴体の遠位側面に近接して位置付けされているプランジャーがシリンダーの末端側面に向かって引き込まれ、これにより、円筒状胴体の内部への流体の吸引が引き起こされる。プランジャーが本胴体内に挿入されるとき、プランジャーの寸法は、例えば投与操作中または回収操作中のいずれかにその流体の側副流出を回避するため、プランジャーと胴体とのそのような２つの手段間に適切な密着状態が創出されるような寸法である。
【０００４】
特に上述の操作を行っている間、操作者は以下の２つのタイプの力、いわゆる「離脱力」および「走行力」、に対処しなければならないことに留意すべきである。前者は注入操作または回収操作の始めにプランジャーを最初の位置から移動させるために必要となる力であり、一方、後者は可能な限り一定かつスムーズにプランジャーの走行を維持するため（従って、注入速度または回収速度を維持するため）に必要となる力を意味している。
【０００５】
周知の如く、シリンジは典型的には片方の手のみを用いて取り扱われ、従って、例えば注入操作中に典型的には親指によってプランジャーに対して特定の必要な圧力を加えることが可能となるように、シリンジには、一般的には人差し指および中指に対する接触面を設けるべきである。このため、当技術分野においては、上記接触面を強化すべく適切に設計された幾種類かのフィンガーグリップ装置が公知である。そのような装置は、通常、シリンジまたはカートリッジの円筒状胴体に適用され、そして、それらの装置は例えばその胴体のフレームに依存して様々な形状および特徴を有している。前述の胴体は、実際には、それの末端側面において異なるサイズおよび形状を有するフランジを備えていてもよく、または、典型的には例えば使用前もしくは使用後に平面上に置かれたときにシリンジがひとりでに転がってしまうのを防ぐように意図された、正方形もしくは矩形の外側セクションを備えていてもよい。一般的に、公知のフィンガーグリップ装置はそのような円筒状胴体の一体部分であり、または代替的に、それらのフィンガーグリップ装置は前述のフランジまたは外側セクションにクリップ留めすることが可能に成されている。これに加え、当技術分野において公知のフィンガーグリップ装置は、例えばシリンジ本体からプランジャーが不都合にも偶発的に脱落してしまうのを回避するため、円筒状胴体内でのプランジャーの走行中にそのプランジャーをロッキングする機能および／または停止させる機能も有している。
【０００６】
ＵＳ第２００３０２２０６１５号は、吸引操作の際にプランジャーを停止させることを可能にするフィンガーグリップ装置を備えたシリンジを記載している。この装置は、シリンダーの内壁の内側に突き出た隆起部によってシリンダーに係止される。
【０００７】
ＵＳ第５９９７５１４号はシリンジまたはカートリッジの円筒状胴体に適した円形または楕円形のフィンガーグリップ装置を記載しており、その装置は、「スナップ・オン」と呼ばれる独特な動きを通じて、本胴体の外側に係止されるように設計されている。
【０００８】
ＵＳ第２００７０８３１６４号は、シリンジの胴体の外面に組み立てられるリングの形態の環状部片について言及している。上記リングは、一旦シリンジにクリップ留めされるとそのシリンジからプランジャーを回収することが不可能となるような抗回収効果を有している。
【０００９】
同様に、ＵＳ第５７００２４７号は、シリンジからプランジャーが取り外されるのを防ぐための逆転防止装置を開示している。
【００１０】
しかしながら、当技術分野において公知のこれらのフィンガーグリップ装置は、総じて、特にはその胴体からの本装置の偶発的な離脱またはその胴体上での本装置の偶発的な回転をそれぞれ回避するため、操作者の指もしくは手のいずれかの配置に特別な注意を払わなければならないという欠点を有している。
【００１１】
実際、何らかの理由でその胴体からプランジャーを取り外すことが必要となった場合には、先ずシリンジからフィンガーグリップを取り外し、その後、プランジャーが胴体内に挿入し直された後に、そのフィンガーグリップを元に戻さなければならず、従って、一般的に操作時間が長引くこととなる。
【００１２】
具体的には、この操作は、特には緊急の場合、例を挙げれば、例えば患者の病状が重篤であるため、または患者の病状が急に悪化したためなどの理由で、フィンガーグリップ装置を備えているシリンジが規定の短い時間枠内で使用されなければならない場合などに、幾つかの問題および限界をもたらす可能性がある。
【００１３】
尚もその上、本装置がシリンダー自体の外側に設けられているフランジまたは他の手段によって円筒状胴体に係止される場合、そのような機能化された胴体を工業的に生産するには、高精度の技術的な進行が必要となり、場合によっては、更に一層複雑な、特別に最適化された手順が必要となることさえあり得る。
【考案の概要】
【考案が解決しようとする課題】
【００１４】
我々は、今や、確固たる信頼性のある仕方でシリンジまたはカートリッジの円筒状胴体のフランジに係止させることができ、これにより、プランジャーの走行を妨害または停止させることなく、指に対する増大された表面をもたらすフィンガーグリップ装置を用いることにより、従来技術のこれらの欠点を克服することができることを見出した。
【課題を解決するための手段】
【００１５】
本考案のフィンガーグリップ装置は、
底端部分（９）（例えば、図３に示されているような部分）、および
頂端部分（１）（例えば、図１に示されているような部分）、
を含むフィンガーグリップ装置に関し、ここで、上記部分（９）および（１）は、異なるサイズを有していて、かつ、互いに相互に接続されてシリンジまたはカートリッジの円筒状胴体のフランジ（１２）を配置するためのロッジング領域（ｃ）（例えば、図５に示されているような領域）を形成し、そして、上記頂端部分（１）は、スナップ動作およびロック動作によってフランジ（１２）へ自身を係止することを可能にする手段（４）および（２）を備えており、注入操作または回収操作を行っている間に、本胴体内でのプランジャーの走行をブロックもしくは妨害しないことを特徴としている。
【００１６】
本装置の底端部分（９）および頂端部分（１）は、典型的には操作者による本装置の取り扱いを容易化するためであるが、更には工業的規模におけるプロセスでの本装置の実現を容易化するためにも、様々な形状を有することができる。好適には、底端部分（９）は楕円形開放形状（図３）を有しており、一方、頂端部分（１）は擬似正方形開放形状（図１参照）を有している。これらの両部分（９）および（１）は、それぞれ、本胴体を配置するための同軸性の円形開放空洞（１０）および（３）を備えており、ここで、上記円形開放空洞（１０）は円形開放空洞（３）よりも大きな直径を有している。好適には、空洞（１０）は円筒状胴体の外径とほぼ等しい直径を有しており、一方、空洞（３）は円筒状胴体の内径よりも若干小さい直径を有している。
【００１７】
以上の説明から、本考案のフィンガーグリップ装置が本胴体に係止されると、プランジャーの走行は注入操作中もしくは回収操作中に停止または妨害されないことが分かる。
【００１８】
また、好適には高浮き彫り手段の形態の滑り止め手段（８）が、例えば図３に示されるように、底端部分（９）の下面（９ａ）に存在してもよい。
【００１９】
本考案の装置は、図６ａおよび図６ｂに描かれているように本胴体のフランジ（１２）を位置付けすることにより、医療用のシリンジまたはカートリッジの胴体に都合よく係止させることができる。好適には、本装置は予め充填済みのシリンジに係止され、更に一層好適には、コントラスト剤または造影剤を含有している予め充填済みのシリンジに係止される。
【００２０】
更なる態様によれば、本考案は、医療用シリンジとの組み合わせにおいて、好適には予め充填済みのシリンジ、更に一層好適にはコントラスト剤を含有している予め充填済みのシリンジとの組み合わせにおいて、本考案のフィンガーグリップ装置を含むパーツ・キットに関する。
【００２１】
図１から図６は、１つの好適な実施形態による本考案のフィンガーグリップ装置を概略的に表している。
【図面の簡単な説明】
【００２２】
【図１】頂端部分（１）の底面（１ａ）の下面図である。  図の説明：  （１）擬似正方形開放形状を有する、本装置の頂端部分。  （１ａ）頂端部分（１）の底面。  （２）本胴体との関係においてしっかりと位置付けされた状態で本装置を保持することによりシリンジのロッケージに役立つ、連続的な形状に成された後方端部。  （３）シリンジまたはカートリッジの円筒状胴体の直径よりも３ｍｍ-１だけ小さな直径を有する、頂端部分（１）の円形開放空洞。  （４）本胴体を機械的にロッケージするための後方タブ。本装置が取り付けられると、この後方タブ（４）は本胴体の内面に位置付けされる。  （５）上方部分（１）を本装置の底部と接合する連続的な一体境界。
【図２】滑り止め用の高浮き彫り手段（８）の側面図である。
【図３】本フィンガーグリップ装置の下面図である。  （１）擬似正方形開放形状を有する本装置の頂端部分。  （１ａ）本装置の頂端部分の底面。  （４）本胴体を機械的にロッケージするための後方タブ。本装置が取り付けられると、この後方タブ（４）は本胴体の内面に位置付けされる。  （８）球形キャップの形状の、滑り止め用の高浮き彫り手段。  （９）楕円形開放形状を有する本装置の底端部分。  （９ａ）滑り止め用の高浮き彫り手段（８）を備えた底端部分の底面。  （９’）シリンジまたはカートリッジの円筒状胴体へのロッキングを容易化するための係合部または凹部。  （１０）シリンジまたはカートリッジの胴体の外径と等しい直径を有する、底端部分（９）の円形開放空洞。
【図４】本フィンガーグリップ装置の上面図である。  （１）擬似正方形開放形状を有する本装置の頂端部分。  （１ｂ）頂端部分の頂面。  （９）楕円形開放形状を有する本装置の底端部分。  （９ｂ）底端部分の頂面。  （４）本胴体を機械的にロッケージするための後方タブ。本装置が取り付けられると、この後方タブ（４）は本胴体の内面に位置付けされる。
【図５】本フィンガーグリップ装置の正面図である。  （１）擬似正方形開放形状を有する本装置の頂端部分。  （４）本胴体を機械的にロッケージするための後方タブ。本装置が取り付けられると、この後方タブ（４）は本胴体の内面に位置付けされる。  （８）球形キャップの形状の、滑り止め用の高浮き彫り手段。  （９）楕円形開放形状を有する本装置の底端部分。  （ｃ）ロッジング領域：シリンジまたはカートリッジの円筒状胴体のフランジ（１２）をロッジングするように構成されている、底端部分と頂端部分との間で形成された領域。
【図６ａ】円筒状胴体のフランジ（１２）への本フィンガーグリップ装置の実行可能な係止方向を示す概略図である。
【図６ｂ】円筒状胴体のフランジ（１２）への本フィンガーグリップ装置の実行可能な係止方向を示す概略図である。
【考案を実施するための形態】
【００２３】
本考案は、シリンジまたはカートリッジの円筒状胴体のフランジに適用される人間工学に基づいたフィンガーグリップ装置に関し、本装置は、操作者の指、典型的には人差し指および中指との改善された接触面を提供し、これにより、本胴体内におけるプランジャーの走行を妨害またはブロックすることなく、例えば患者への流体の注入操作または患者からの流体の回収操作を容易化する。
【００２４】
より詳細には、本考案のフィンガーグリップ装置は：
好適には滑り止め手段（８）を備えている底端部分（９）（例えば、図３に示されているような部分）、および
頂端部分（１）（例えば、図１に示されているような部分）；
を含み、ここで、上記部分（９）および（１）は、異なるサイズおよび形状を有しており、かつ、相互に接合されてシリンジまたはカートリッジの円筒状胴体のフランジ（１２）に対するロッジング領域（ｃ）（例えば、図５に示されているような領域）を形成している。既に述べられているように、本考案によるフィンガーグリップ装置は、シリンジまたはカートリッジの胴体内におけるプランジャーの走行をブロックもしくは妨害せず、これにより、本装置が円筒状胴体に係止されているときでさえ、シリンジからプランジャーを取り外すことが可能になるという事実により特徴付けされる。
【００２５】
上記頂端部分（１）は、「ファイナル−クリックスナップ−ロック」動作を通じて、フランジ（１２）への本装置の係止を可能にする手段（４）および（２）を備えている。
【００２６】
「ファイナル−クリックスナップ−ロック動作」または「スナップ動作およびロック動作」という用語は、その運動によって、カチッという音が聞こえるまでロッジング領域（ｃ）内において本胴体のフランジをしっかりとロッキングすることにより、本フィンガーグリップ装置が本胴体に係止される動作を意味する。
【００２７】
図３および図４に示されているように、底端部分（９）は好適には楕円形開放形状を有しており、一方、頂端部分（１）は好適には擬似正方形開放形状を有していて、これにより、これらの両部分は、それぞれ、同軸性の円形開放空洞（１０）および（３）を備えている（図３参照）。
【００２８】
これら２つの部分（９）および（１）は、例えば全体に輪郭が形成された端部もしくは不連続な端部であってもよい手段（５）により相互に接合されており、または、前述の手段（５）は２つもしくはそれ以上の接続ポイントまたは同様な物により構成されてもよい。好適には、手段（５）は１つの端部であり、より好適には、例えば図１に示されているような、全体が輪郭形成された１つの端部である。
【００２９】
具体的に言うと、上記手段（５）は、部分（９）と部分（１）との間に形成されるロッジング領域（ｃ）が本胴体のフランジを効果的に包含することができるような寸法である。好適には、端部（５）はシリンジまたはカートリッジの円筒状胴体のフランジ（１２）の外側端部間の距離に対応した高さを有しており、そして、ロッジング領域（ｃ）は実質的に上記フランジの表面に対応している。
【００３０】
上記２つの同軸性円形空洞（１０）および（３）の直径は、シリンジまたはカートリッジの円筒状胴体への本考案によるフィンガーグリップ装置の係止が確実かつ信頼性の高いものとなるような値であって、かつ、例を挙げれば、例えば回収操作中にプランジャーがシリンダーから脱落するのを阻止することにより、または注入操作中もしくは回収操作中におけるプランジャーの走行を一般的に制限することにより、本装置がプランジャーの走行を妨げないような値を有している。
【００３１】
従って、１つの好適な実施形態によれば、本考案は、
滑り止め用の高浮き彫り手段（８）を有する底端部分（９）（例えば、図３に示されているような部分）、および
頂端部分（１）（例えば、図１に示されているような部分）、
を含むフィンガーグリップ装置に関し、ここで、上記部分（９）および（１）は、異なるサイズを有しており、かつ、互いに相互に接続されてシリンジまたはカートリッジの円筒状胴体のフランジ（１２）を配置するためのロッジング領域（ｃ）（例えば、図５に示されているような領域）を形成し、そして、上記頂端部分（１）は、スナップ動作およびロック動作によってフランジ（１２）へ本装置を係止することを可能にする手段（４）および（２）を備えており、当該装置は、流体の注入操作中または回収操作中にプランジャーの走行をブロックもしくは妨害しないことを特徴としている。
【００３２】
より詳細には、上記２つの円形空洞（１０）および（３）は好適には異なる直径を有しており、具体的に言えば、円形空洞（１０）は空洞（３）よりも大きな直径を有している。好適には、空洞（１０）の直径は約１２ｍｍから約２７ｍｍまでの間であり、更に一層好適には、シリンジの円筒状胴体の外径に相当する。
【００３３】
従って、円形空洞（３）は、空洞（１０）の直径よりも１０％を超えない程度に小さな直径を有しており、好適には、空洞（３）の直径は３％から１０％までから成るある値だけ空洞（１０）の直径よりも小さく、より好適には、約４〜６％だけ空洞（１０）の直径よりも小さく成されている。本考案の１つの好適な実施形態によれば、円形空洞（３）の直径は約１０ｍｍから約２５ｍｍまでの間である。具体的に言えば、また、これまでの箇所で指示されているように、円形空洞（３）の直径は、本考案のフィンガーグリップ装置が存在することにより、どのようにしてもプランジャーの走行が止められることや制限されることがなくなるような値だけ、シリンジまたはカートリッジの円筒状胴体の内径よりも小さい。好適には、円形空洞（３）の直径は、上記円筒状胴体の内径よりも２ｍｍ-１から１０ｍｍ-１までから成るある値だけ小さく、より好適には４ｍｍ-１から６ｍｍ-１までから成るある値だけ小さい。更に好適な１つの実施形態においては、円形空洞（３）の直径は、円筒状胴体の内径よりも２ｍｍ-１から１０ｍｍ-１までの間から成るある値だけ小さく、かつ、空洞（１０）の直径よりも約４％から約６％までから成るある値だけ小さい。
【００３４】
例えば、１つの好適な実施形態によれば、２１．５ｍｍの内径を有する円筒状胴体（例えば２０ｍｌ用のシリンジなど）と共に用いることを意図したフィンガーグリップ装置の場合、空洞（３）の直径は２１．２ｍｍであるべきであり、一方、空洞（１０）の直径は２５．０ｍｍに相当する大きさであるべきである。同様に、円筒状胴体が１０．７ｍｍの内径を有している場合（例えば１０ｍｌ用のシリンジなど）では、空洞（３）の直径は１０．５ｍｍであるべきであり、一方、空洞（１０）の直径は１２．４ｍｍに等しい大きさであるべきである。
【００３５】
このようにして、本考案による装置は、シリンジの円筒状胴体内における両方の方向（例えば、末端側面に向けた方向または遠位側面に向けた方向）でのプランジャーの摺動を、その走行を制限または停止させることなく、可能にすることにより特徴付けられる。
【００３６】
図３に示されているように、本考案によるフィンガーグリップ装置の底端部分（９）は、例えばシリンジまたはカートリッジの円筒状胴体への本装置の取り付けを容易化するように意図された、凹部または係合部（９’）を備えている。上述のように、本装置の底端部分（９）は、好適には、操作者の指での把持状態を高めるべく意図された多数の滑り止め手段（８）を備えており、更に一層好適には、高浮き彫り手段、例えば異なる形状およびサイズを有していてよいシリコン球または溝などの増強された粗さを有する区域もしくは領域の形態の高浮き彫り手段の形態における多数の滑り止め手段（８）を備えている。「高浮き彫り手段」という用語は、基部に対して少なくとも０．１ｍｍだけ垂直に延びている表面領域を意味する。好適には、上記の高浮き彫り手段（８）は、本考案による装置の底端部分（９）の底面（９ａ）に設けられており、そして、それらの高浮き彫り手段は、好適には、約０．２ｍｍから約０．５ｍｍまでの高さだけ前述の表面から延びている。
【００３７】
上記多数の滑り止め手段（８）は互いに同一の形状を有していてもよいし、もしくはそれらの手段が異なる形状および／またはサイズを呈することも更に可能であり、そのような形状は、一般的に、何らかの三次元的な幾何学的形状、例えば、立方体、角柱、平行六面体、規則的な形体または不規則な形体、球形、半球形、球形のキャップ状、円錐形、円錐台およびその類のもの、などから選択される。また、そのような手段（８）はセグメント化された形状を有していてもよく、例えば点線または円形もしくは半円形の線などの形状を有していてもよい。代替的に、滑り止め手段（８）は、例えば縦方向の点線またはＶ字形の線など、連続的であるかフラグメント化されているかにかかわらず、直線または成形された線の形態で表面（９ａ）にインプリントされていてもよい。
【００３８】
好適には、手段（８）は図２および図３に示されているような球形キャップの形状を有する高浮き彫り手段であって、更に一層好適には、それらの手段は、関与する表面（９ａ）の一部もしくはほぼ全体を覆うべく配列されている。例えば、更なる１つの好適な実施形態によれば、これらの手段（８）は、少なくとも下面（９ａ）の約１０％の領域をカバーし、好適には少なくとも５０％、より好適には少なくとも８０％の領域をカバーする、規則的でかつ秩序立った仕方で配列されている。球形キャップの形態における手段（８）の直径は１ｍｍから５ｍｍまでの間で様々であってよく、従って、その表面上でのそれらの個数は数個（例えば４個またはそれ以上など）から数十個（例えば最大で６０個またはそれ以上までなど）まで様々であり得る。好適には、球形キャップの形態における手段（８）の直径は約２ｍｍから３ｍｍまでの間であり、そして、それらの個数は２０個から６０個までの間である。この高浮き彫り手段（８）は本フィンガーグリップ装置と同一の材料でできていてよく、あるいは、シリコンやポリエステルなどの適切な材料を用いて製作することも更に可能である。典型的には、これらの手段（８）は、本装置自体と同一の材料でできている。
【００３９】
これに関連して、本考案のフィンガーグリップ装置は、ひび割れしたり、欠けたり、または損傷を被ったりすることなくシリンジまたはカートリッジに係止することができる程度に充分に剛性であると同時に可撓性でもある材料を用いて製造することができる。適切な材料の非限定的な例は、プラスチック、例えばポリプロピレン、医療用ポリプロピレン（医療用ＰＰ）、ポリエステル、ポリカーボネートなどである。一般的に、本装置は熱可塑性材料で製作され、また、例えば射出成形などの公知の工業的プロセスにより製造される。好適には、本装置は透明な医療用ポリプロピレン（医療用ＰＰ）で製作される。
【００４０】
前述のように、本考案のフィンガーグリップ装置は、本考案による装置の本胴体への係止が確実かつ安定した仕方で起こることを可能にし、更には、プランジャーの摺動を妨げることなく、例えば円筒状胴体のフランジの周りで本装置が自由に回転するのを防ぐこともできるような形状および高さを有する手段（４）および（２）を含んでいる。好適には、例えば図１に示されているように、その手段（４）は、円筒状胴体の内面へ係止することができるように適切に設計された同軸性のタブであり、一方、後方部分（２）は、一般的に、連続的であるか不連続的であるかにかかわらず、ある形状に成された端部により構成されている。好適には、上記部分（２）は、図１に示されているような適切な形状に成された末端部を有する連続的なボードである。
【００４１】
本説明から明らかなように、また、添付図面で明確に指示されているように、本考案によるフィンガーグリップ装置は、注入操作を行う際に、操作者の指、典型的には人差し指および中指に対して改善されかつ増強された表面を提供し、これにより、操作者は、安全かつしっかりとした仕方で、典型的には親指で、プランジャーに圧力を及ぼすことが可能になる。本考案による装置は、流体を注入するときと流体を回収するときとの両方で有利に使用することができ、どちらの場合にも、シリンジの取り扱いに関する有意な改善をもたらすだけでなく、プランジャーの滑らかでかつ制御された仕方での摺動をももたらし、また、既に述べられているように、そのプランジャーは、最初に本装置を取り外す必要性を伴うことなく、本胴体から都合よく取り除くことができる。
【００４２】
その上、本考案による装置は、シリンジへの取り付け作業を行う際、シリンジとの組み立てを担当する人員による特別な技術的知識または技巧を何ら必要としないため、製造しやすく、かつ、使用しやすい。
【００４３】
これに関連して、いずれかの好適な実施形態に従って上で説明されているような本考案による装置は、例えばマルチハンス（Multihance）（登録商標）またはプロハンス（Prohance）（登録商標）などのコントラスト剤を投与するための商業的に予め充填済みのシリンジに典型的に存在するフランジなどのように、その胴体が正方形もしくは擬似正方形のフランジを備えている場合はいつでも、縦方向、すなわち図６ａに描かれているような方向であろうと、または横方向、すなわち図６ｂに示されているような方向であろうと、どちらでも、シリンジまたはカートリッジの円筒状胴体のフランジに有利に適用できることに留意すべきである。実際、どちらの方向においても、本フィンガーグリップ装置の頂端部分および底端部分のそれぞれの円形空洞（３）および（１０）は、フランジ（１２）の挿入方向にかかわらず、本装置の係止を可能にする。この特徴は、特に医学的緊急事態のケース、例えば操作者が特定の急いだ実行と精確な実行とを同時に求められる緊急事態に遭遇しているときなどに殊更有利である。
【００４４】
更に、本考案による装置は、ケース毎にこれまでに説明されているような結果および便益性を確保しながら、異なるサイズおよび材料を有する医療用途のシリンジまたはカートリッジのフランジに都合よく適用できるように設計することもできる。典型的には、そのようなシリンジまたはカートリッジは、例えば１０ｍＬから５０ｍＬまでの間から成るある容積容量を有する商業的に入手可能な製品である。これらのシリンジまたはカートリッジは、全体または一部が、例えばガラスもしくはプラスチックでできていてよく、または、それらが本フィンガーグリップ装置と同じ材料のものであってもよい。好適には、それらは環状ポリオレフィン樹脂を用いて製作される。
【００４５】
本考案による装置は一般的にはシリンジの使用を容易化することを目的としているが、本装置の使用は、高粘性流体（例えば、診断の分野で使用される、当技術分野において周知の造影剤など）を含有する医療用シリンジ［そこでは、シリンジの胴体に充填する際またはシリンジの胴体を空にする際に高い圧力および力が必要になり、また、そのような医療用シリンジは予め充填済みのシリンジとして市場に存在していることが多い］に適用されるときに明らかに更に一層有利である。
【００４６】
ここで意図されている「高粘性流体」は、２０℃において１ｍＰａより大きな粘度を有する液体を意味している。
【００４７】
別な具合に定められていない限り、「剤」または「コントラスト剤」という用語は、ある領域が医用画像で分析される際に、その分析される仕方を変えることができるあらゆる物質を意味する。当技術分野において公知であってかつこの目的で広く使用されているコントラスト剤の例は、イオパミドール（Iopamidol）（登録商標）、マルチハンス（MultiHance）（登録商標）、およびプロハンス（ProHance）（登録商標）などである。
【００４８】
これに関連して、本考案のフィンガーグリップ装置は、好適には２０℃において約２ｍＰａから約１０ｍＰａまでの間から成るある粘度を持った流体を含有するシリンジに適用される。そのようなシリンジは予め充填済みのシリンジであってもよいし、または、本装置の助けを借りて、そのようなシリンジに、通常は使用時に、所望量の選択された流体を充填することもできる。
【００４９】
従って、本考案の１つの更なる態様は、本考案によるフィンガーグリップ装置を備えたシリンジ、好適には予め充填済みのそのようなシリンジについて言及する。
【００５０】
この更なる態様によれば、そのシリンジは、好適には、診断実験においてコントラスト剤として作用することができる流体で予め充填されている。具体的には、本考案の１つの更なる好適な態様によれば、本フィンガーグリップ装置は、マルチハンス（MultiHance）（登録商標）またはプロハンス（ProHance）（登録商標）が予め充填されているシリンジに適用される。
【００５１】
本考案のフィンガーグリップ装置は必要な時に円筒状胴体に係止させることができ、または予め組み立てておくこともでき、更には、シリンジと共に付加的なコンポーネントとして包装しておくこともできる。
【００５２】
より詳細に説明すると、１つの更なる態様によれば、本考案は、
上記のとおりのフィンガーグリップ装置、および
医療用シリンジ、
を含むパーツ・キットに関する。
【００５３】
上記シリンジは、典型的には、例えばこれまでに説明されているものから選択される。好適には、本パーツ・キットは本考案によるフィンガーグリップ装置および予め充填済みのシリンジを含み、更に一層好適には、そのシリンジには造影剤が予め充填されており、尚も一層好適には、その造影剤はマルチハンス（MultiHance）（登録商標）である。
【００５４】
そのフィンガーグリップ装置は別個のコンポーネントとして包装されてもよいし、または、シリンジに適用し、同一のパーツ・キット内で一緒に包装することもできる。別個である場合、それら２つのコンポーネント（すなわち、フィンガーグリップとシリンジまたはカートリッジ）は、同一のコンパートメントもしくは２つの異なるコンパートメントに入れて本パーツ・キットに収納することができる。また、本パーツ・キットは、付加的なコンポーネント、例えば針、消毒綿棒および無菌綿棒なども含むことができる。
【００５５】
以上で広範囲にわたって説明されているように、本考案の装置は、操作者に対して、指に対する増大されかつ改善された表面を提供し、これにより、顕著な製造の容易さおよび適用性と共に、流体の注入および回収操作中の容易な取り扱いおよび安全な動作が可能になる。具体的に言うと、本装置は、予め充填済みのタイプであるか使用時に充填するタイプであるかにかかわらず、例えば医療技術および診断技術において使用される一般的なシリンジの中から選択されるシリンジおよびカートリッジに適用すべく設計することができる。
【００５６】
有利なことに、本考案による装置は、すぐに使用することができるように既に同一のコンポーネントに取り付けられているかまたは付加的なコンポーネントとしてのいずれかの形態で、選択されたシリンジと共に、またはシリンジと別々に、パーツ・キットに適切に含めることができる。
【図１】
0003188801.tif 000003
【図２】
0003188801.tif 000004
【図３】
0003188801.tif 000005
【図４】
0003188801.tif 000006
【図５】
0003188801.tif 000007
【図６ａ】
0003188801.tif 000008
【図６ｂ】
0003188801.tif 000009
【手続補正書】
【提出日】平成25年11月14日(2013.11.14)
【手続補正１】
【補正対象書類名】実用新案登録請求の範囲
【補正対象項目名】全文
【補正方法】変更
【補正の内容】
【実用新案登録請求の範囲】
【請求項１】
フィンガーグリップ装置であって、
底端部分（９）と、
頂端部分（１）と
を備え、
上記底端部分（９）および頂端部分（１）は、異なるサイズを有し、かつ、互いに相互に接続されて、シリンジまたはカートリッジの円筒状胴体のフランジ（１２）を配置するためのロッジング領域（ｃ）を形成しており、
上記頂端部分（１）には、スナップ動作およびロック動作により上記フランジ（１２）への当該装置の係止を可能にする手段（４）および（２）が設けられ、
注入操作中または回収操作中にシリンジもしくはカートリッジの該胴体内におけるプランジャーの走行をブロックまたは妨害しないことを特徴とするフィンガーグリップ装置。
【請求項２】
請求項１に記載のフィンガーグリップ装置において、
上記底端部分（９）が楕円形開放形状を有し、かつ、上記頂端部分（１）が擬似正方形開放形状を有しており、
上記両部分が、それぞれ、同軸性の円形開放空洞（１０）および（３）を有しているフィンガーグリップ装置。
【請求項３】
請求項１または２に記載のフィンガーグリップ装置において、
上記円形開放空洞（３）が上記円形開放空洞（１０）の直径よりも１０％を超えない程度だけ小さい直径を有しているフィンガーグリップ装置。
【請求項４】
請求項２または３に記載のフィンガーグリップ装置において、
上記円形開放空洞（３）の直径が３〜１０％の間のある値だけ該空洞（１０）の直径よりも小さいフィンガーグリップ装置。
【請求項５】
請求項２から４までのいずれか一項に記載のフィンガーグリップ装置において、
上記円形開放空洞（３）の直径が４〜６％の間のある値だけ上記円形開放空洞（１０）の直径よりも小さいフィンガーグリップ装置。
【請求項６】
請求項１から５までのいずれか一項に記載のフィンガーグリップ装置において、
上記円形開放空洞（３）の直径が０．２ｍｍから０．３ｍｍまでの間のある値だけシリンジまたはカートリッジの該円筒状胴体の内径よりも小さいフィンガーグリップ装置。
【請求項７】
請求項３に記載のフィンガーグリップ装置において、
上記円形開放空洞（３）の直径が２１．２ｍｍであり、かつ、上記円形開放空洞（１０）の直径が２５．０ｍｍであるフィンガーグリップ装置。
【請求項８】
請求項３に記載のフィンガーグリップ装置において、
上記円形開放空洞（３）の直径が１０．５ｍｍであり、かつ、上記円形開放空洞（１０）の直径が１２．４ｍｍであるフィンガーグリップ装置。
【請求項９】
請求項１から８までのいずれか一項に記載のフィンガーグリップ装置において、
上記底端部分（９）には滑り止め手段（８）が設けられているフィンガーグリップ装置。
【請求項１０】
請求項９に記載のフィンガーグリップ装置において、
上記滑り止め手段（８）が高浮き彫り手段の形態をしているフィンガーグリップ装置。
【請求項１１】
請求項１０に記載のフィンガーグリップ装置において、
上記滑り止め用の高浮き彫り手段（８）が球形キャップの形状を有しているフィンガーグリップ装置。
【請求項１２】
請求項１から１１までのいずれか１項に記載のフィンガーグリップ装置を含むシリンジであって、
上記フィンガーグリップ装置が上記シリンジのフランジ上に固定されるシリンジ。
【請求項１３】
請求項１２に記載のシリンジにおいて、
コントラスト剤が予め充填されているシリンジ。
【請求項１４】
請求項１３に記載のシリンジにおいて、
ガドベネートジメグルミン（Gadobenate dimeglumine）およびガドテリドール（Gadoteridol）から選択されるコントラスト剤が予め充填されているシリンジ。
【請求項１５】
請求項１から１１までのいずれか１項に記載のフィンガーグリップ装置を含む
医療用のシリンジまたはカートリッジと組み合わされ、請求項１から１１までのいずれか１項に記載のフィンガーグリップ装置を含むパーツ・キット。
【手続補正２】
【補正対象書類名】図面
【補正対象項目名】図４
【補正方法】変更
【補正の内容】
【図４】
0003188801.tif 000010